(57)【特許請求の範囲】
【請求項１】
離間した一対の縦材および横架材とに囲まれた開口部における横架材に設けられる制震ダンパーに一端が連結されるアームと、縦材に設けられると共に前記アームの他端が連結されるアーム取付金物とを備えた制震ダンパー用金物であって、
前記アームは、対向する長尺鋼板がスペーサーを介し所定間隔の隙間を空けて接合され、前記対向する長尺鋼板それぞれは、少なくとも両側の長辺がコの字形状に外側へ折り曲げられており、当該アームの他端には、連結孔を有するアーム取付金物連結部が設けられている一方、
前記アーム取付金物には、前記アームの所定間隔の隙間に挿入可能な挿入連結板部が設けられ、
前記アーム取付金物連結部の所定間隔の隙間に前記挿入連結板部が挿入されて前記アームと前記アーム取付金物とが連結されていることを特徴とする制震ダンパー用金物。
【請求項２】
請求項１に記載の制震ダンパー用金物において、
前記アーム取付金物連結部の長さは、前記挿入連結板部の長さの１／２以下とされ、
前記アームにおける前記アーム取付金物連結部の所定間隔の隙間に前記アーム取付金物の前記挿入連結板部が挿入された状態で、前記アーム取付金物連結部の複数の連結孔にそれぞれ通された、先端に切刃が付いた切刃付き締結部材が前記挿入連結板部を貫通して前記アームと前記アーム取付金物とが連結されていることを特徴とする制震ダンパー用金物。
【請求項３】
離間した一対の縦材および横架材とに囲まれた開口部における一対の横架材には、それぞれ制震ダンパーが設けられる一方、
一対の縦材には、それぞれ請求項１または請求項２に記載の制震ダンパー用金物の前記アーム取付金物が設けられ、
上下の前記制震ダンパーに一端が連結された上下の前記アームの他端の前記アーム取付金物連結部の所定間隔の隙間に、それぞれ、一対の縦材それぞれに設けられた前記アーム取付金物の前記挿入連結板部の上部と下部とが挿入され、上下の前記制震ダンパーに一端が連結された上下の前記アームと前記アーム取付金物とが連結されていることを特徴とする壁構造。
【発明の詳細な説明】
【技術分野】
【０００１】
本発明は、離間した一対の縦材および横架材とに囲まれた開口部に設ける制震ダンパー用金物、及びその制震ダンパー用金物を使用した壁構造に関する。
【背景技術】
【０００２】
近年、木造住宅等の建物においては、制震ないしは耐震のため、離間した一対の縦材および横架材とに囲まれた開口部に制震装置を設けている。
【０００３】
このような制震装置では、例えば、制震ダンパーは梁や土台等の横架材に取り付ける一方、制震ダンパーに一端が連結された角パイプのアーム（筋かい）の他端を柱に固定して、柱と横架材に囲まれた開口部を補強している（例えば、特許文献１参照。）。
【先行技術文献】
【特許文献】
【０００４】
【特許文献１】特開２００７−１９７９３９号公報
【発明の概要】
【発明が解決しようとする課題】
【０００５】
しかし、上記特許文献１に記載の制震ダンパー用金物では、制震ダンパーに一端が連結されるアーム（筋かい）として角パイプを使用しているため、所定の効果を確保するとコスト高になるという問題があった。
【０００６】
そこで、本発明はこのような課題に着目してなされたもので、制震ダンパーに一端が連結されるアーム（筋かい）として角パイプを使用せずに所定の効果を確保しながらもコストを低減させることができる制震ダンパー用金物、及びその制震ダンパー用金物を使用した壁構造を提供することを目的とする。
【課題を解決するための手段】
【０００７】
前記課題を解決するため、本発明に係る制震ダンパー用金物は、離間した一対の縦材および横架材とに囲まれた開口部における横架材に設けられる制震ダンパーに一端が連結されるアームと、縦材に設けられると共に前記アームの他端が連結されるアーム取付金物とを備えた制震ダンパー用金物であって、前記アームは、対向する長尺鋼板がスペーサーを介し所定間隔の隙間を空けて接合され、前記対向する長尺鋼板それぞれは、少なくとも両側の長辺がコの字形状に外側へ折り曲げられており、当該アームの他端には、連結孔を有するアーム取付金物連結部が設けられている一方、前記アーム取付金物には、前記アームの所定間隔の隙間に挿入可能な挿入連結板部が設けられ、前記アーム取付金物連結部の所定間隔の隙間に前記挿入連結板部が挿入されて前記アームと前記アーム取付金物とが連結されていることを特徴とする。
ここで、前記アーム取付金物連結部の長さは、前記挿入連結板部の長さの１／２以下とされ、前記アームにおける前記アーム取付金物連結部の所定間隔の隙間に前記アーム取付金物の前記挿入連結板部が挿入された状態で、前記アーム取付金物連結部の複数の連結孔にそれぞれ通された、先端に切刃が付いた切刃付き締結部材が前記挿入連結板部を貫通して前記アームと前記アーム取付金物とが連結されていると良い。
また、本発明に係る制震ダンパー用金物を使用した壁構造は、離間した一対の縦材および横架材とに囲まれた開口部における一対の横架材には、それぞれ制震ダンパーが設けられる一方、一対の縦材には、それぞれ請求項１または請求項２に記載の制震ダンパー用金物の前記アーム取付金物が設けられ、上下の前記制震ダンパーに一端が連結された上下の前記アームの他端の前記アーム取付金物連結部の所定間隔の隙間に、それぞれ、一対の縦材それぞれに設けられた前記アーム取付金物の前記挿入連結板部の上部と下部とが挿入され、上下の前記制震ダンパーに一端が連結された上下の前記アームと前記アーム取付金物とが連結されていることを特徴とする。
【発明の効果】
【０００８】
本発明に係る制震ダンパー用金物では、横架材に設けられる制震ダンパーに一端が連結されるアームと、縦材に固定されると共にアームの他端が連結されるアーム取付金物とを備え、アームは、対向する長尺鋼板がスペーサーを介し所定間隔の隙間を空けて接合され、対向する長尺鋼板それぞれは、少なくとも両側の長辺がコの字形状に外側へ折り曲げられており、当該アームの他端には、連結孔を有するアーム取付金物連結部が設けられ、アーム取付金物には、アームの所定間隔の隙間に挿入可能な挿入連結板部が設けられている一方、アーム取付金物連結部の所定間隔の隙間に挿入連結板部が挿入されてアームとアーム取付金物とが連結されている。
そのため、本発明に係る制震ダンパー用金物及びその制震ダンパー用金物を使用した壁構造では、制震ダンパーに一端が連結されるアーム（筋かい）として角パイプを使用せずに、対向する長尺鋼板がスペーサーを介し所定間隔の隙間を空けて接合され、対向する長尺鋼板は少なくとも両側の長辺がコの字形状に外側へ折り曲げられたものを使用するので、角パイプと同等以上の強度を確保しながらもコストを低減させることができる。
【図面の簡単な説明】
【０００９】
【図１】本発明に係る実施形態の制震ダンパー用金物と制震ダンパー等を使用した壁構造の一例を示す正面図である。
【図２】本発明に係る実施形態の制震ダンパー用金物を構成するアームの斜視図である。
【図３】（ａ），（ｂ）それぞれ本発明に係る実施形態の制震ダンパー用金物アームを構成するアームの正面図、右側面図である。
【図４】（ａ），（ｂ）それぞれ本発明に係る実施形態の制震ダンパー用金物アームを構成するアームの左側面図、図４（ａ）におけるＡ−Ａ線断面図である。
【図５】本発明に係る実施形態の制震ダンパー用金物アームを構成するアームの先端部の拡大平面図である。
【図６】本発明に係る実施形態の制震ダンパー用金物アームを構成するアームの先端部の拡大右側面図である。
【図７】本発明に係る実施形態の制震ダンパー用金物アームを構成するアームの先端部のＡ−Ａ線拡大断面図である。
【図８】本発明に係る実施形態の制震ダンパー用金物を構成するアーム取付金物の斜視図である。
【図９】（ａ），（ｂ）それぞれ本発明に係る実施形態の制震ダンパー用金物アームを構成するアーム取付金物の正面図、右側面図である。
【図１０】本発明に係る実施形態の制震ダンパー用金物アームを構成するアームとアーム取付金物との連結状態を拡大して示す正面図である。
【図１１】図１０におけるＢ−Ｂ線断面図である。
【発明を実施するための形態】
【００１０】
以下、本発明に係る制震ダンパー用金物、及びその制震ダンパー用金物を使用した壁構造の実施の形態を、添付図面を参照しながら詳細に説明する。なお、下記に説明する実施の形態の制震ダンパー用金物、及びその制震ダンパー用金物を使用した壁構造は、あくまで、本発明の一例であり、本発明は、下記に説明する実施の形態に限定されるものではない。
【００１１】
＜制震ダンパー用金物１の構成＞
実施形態の制震ダンパー用金物１は、図１に示すように、制震ダンパー２と共に、離間した一対の縦材である柱３，３および横架材である土台４と梁５とに囲まれた開口部６に設けるもので、アーム１１と、アーム取付金物１２とを有する。尚、図１において、７は間柱であり、省略しても良い。
【００１２】
アーム１１は、図２および図３（ａ），（ｂ）に示すように、それぞれ、対向してリベット接合される接合板部１１ａ１，１１ａ１と、接合板部１１ａ１，１１ａ１の左右両側の長辺がほぼ直角に外側へ折り曲げられて対向する左右の長尺フランジ部１１ａ２，１１ａ３とを有する断面がコの字形状（チャンネル状）に折り曲げられた２枚の長尺鋼板１１ａ，１１ａの接合板部１１ａ１，１１ａ１を、少なくとも後述するアーム取付金物１２の挿入連結板部１２ａの厚さ以上の厚さ（厚み）を有する三角形のスペーサー１１ｂ（図３（ｂ）や図４（ｂ）参照。）および円形のスペーサー１１ｃ（図３（ｂ）や図４（ｂ）参照。）を介して所定間隔α（図６参照。）を空けてリベット１１ｄにより接合したものである。尚、各長尺鋼板１１ａ，１１ａそれぞれの左右の長尺フランジ部１１ａ２，１１ａ３は、それらの接合板部１１ａ１，１１ａ１がスペーサー１１ｂ，１１ｃを介して接合された後に曲げて設けても良いし、その接合前に折り曲げられたり、さらには当初から断面がコの字形状（チャンネル状）に形成された鋼材を使用しても良い。
【００１３】
アーム１１の一端（図２〜図４では、上端。）は、横架材である土台４と梁５に設けられる制震ダンパー２に連結するため、ボルト孔１１ｅ１が形成されたダンパー連結部材１１ｅが接合されている。なお、ダンパー連結部材１１ｅのボルト孔１１ｅ１にボルトを通して制震ダンパー２と連結するため、アーム１１の一端（図２〜図４では、上端。）には、切欠部１１ｆを設けている。
【００１４】
アーム１１の他端（図２〜図４では、下端。）には、縦材である柱３に設けられたアーム取付金物１２に連結されるようにアーム取付金物１２の挿入連結板部１２ａが挿入されるように所定間隔αを空けたアーム取付金物連結部１１ｇを設けている。
【００１５】
アーム取付金物連結部１１ｇは、アーム１１の長辺に対し斜めに形成された一対の斜辺１１ｇ１，１１ｇ１を有し、かつ、その斜辺１１ｇ１，１１ｇ１に沿ってそれぞれ複数（ここでは、例えば、５つとするが、５つに限定されるものではない。）の連結孔１１ｇ２を設けている。
【００１６】
アーム取付金物連結部１１ｇの斜辺１１ｇ１の長さＬ１（図５参照。）は、図１等に示すように挿入連結板部１２ａの長さＬ２（図９（ｂ）参照。）の１／２以下とすることにより、挿入連結板部１２ａの上下両側に上下のアーム１１，１１それぞれのアーム取付金物連結部１１ｇ，１１ｇを重ねずに取付け可能としている。
【００１７】
また、アーム１１の他端（図２〜図４では、下端。）の先端部には、２枚の長尺鋼板１１ａ，１１ａの先端部を折り曲げた短尺フランジ部１１ａ４を設けている。
【００１８】
アーム取付金物１２は、図８および図９に示すように、長さＬ２（図９（ｂ）参照。）を有する１枚の鋼板をＴ字状に折り曲げて構成されており、アーム１１のアーム取付金物連結部１１ｇの隙間に挿入されて連結されるＴ字状に折り曲げられ重なった挿入連結板部１２ａと、挿入連結板部１２ａから両側に９０度折れ曲がり縦材である柱３に固定される縦材固定板部１２ｂ，１２ｂとを有する。ただし、本発明では、アーム取付金物１２はこの形状に限定されるものではなく、アーム１１のアーム取付金物連結部１１ｇの隙間に挿入されて連結される挿入連結板部を有するものであれば良い。
【００１９】
そのため、縦材固定板部１２ｂ，１２ｂには、それぞれ、複数（ここでは、例えば、１５とするが、１５に限定されるものではない。）の連結孔１２ｂ１が設けられている。
【００２０】
尚、本実施形態の制震ダンパー用金物１では、アーム取付金物１２の挿入連結板部１２ａには、予め連結孔は設けられてなく、アーム１１の他端のアーム取付金物連結部１１ｇに形成された複数の連結孔１１ｇ２に応じて、先端に切刃が付いた切刃付き締結部材であるドリルネジ８ｂ等によって連結時に連結孔が形成される。
【００２１】
尚、制震ダンパー２は、例えば、２本のアーム１１，１１それぞれのダンパー連結部材１１ｅが連結される可動板と、その可動板の間に設けられ横架材である土台４または梁５に固定された固定板と、その可動板と固定板に接着された高減衰ゴム等を備えており、固定板に対し可動板が回動した際に、その回動エネルギーを高減衰ゴムで吸収するように構成されている。ただし、本実施形態の制震ダンパー２は、一例であり、本発明では、高減衰ゴムを使用せずにスプリング等の弾性体やシリンダを使用したり、さらには本体を櫛状等にした鋼製の制震ダンパーや、高減衰ゴムを使用する場合でも異なる場所に使用した制震ダンパーでも良く、要は、地震等が発生した際、横架材である土台４と梁５や縦材である柱３の振動や振れ等を吸収できる構造のものであれば良い。
【００２２】
次に、以上のように構成された制震ダンパー用金物１を使用した壁構造について説明する。
【００２３】
図１に示すように、離間した一対の縦材である柱３，３と、横架材である土台４と梁５とに囲まれた開口部６における土台４と梁５とに、それぞれ制震ダンパー２を取り付ける一方、縦材である柱３，３には、それぞれ上述の制震ダンパー用金物１を構成するアーム取付金物１２，１２をビス８a（図１０および図１１参照。）等により固定する。
【００２４】
そして、図１０および図１１に示すように、上下の制震ダンパー２，２に一端が連結されたアーム１１，１１の他端のアーム取付金物連結部１１ｇの隙間１１ａ５に、それぞれ、アーム取付金物１２の挿入連結板部１２ａを挿入する。
【００２５】
その後、上下のアーム１１，１１のアーム取付金物連結部１１ｇ，１１ｇの連結孔１１ｇ２，１１ｇ２の位置にドリルネジ８ｂを挿入してアーム取付金物１２の挿入連結板部１２ａを穿孔して、上下のアーム１１，１１のアーム取付金物連結部１１ｇ，１１ｇとアーム取付金物１２の挿入連結板部１２ａとを上下で連結する。
【００２６】
従って、本実施形態の制震ダンパー用金物１およびその制震ダンパー用金物１を使用した壁構造では、制震ダンパー２に一端が連結されるアーム１１として角パイプを使用せずに、少なくとも２枚の長尺鋼板１１ａ，１１ａがスペーサー１１ｂ，１１ｃを介し所定間隔αを空けて接合され、かつ、それら２枚の長尺鋼板１１ａ，１１ａは少なくとも両側の長辺がほぼ直角に外側へ折り曲げられて長尺フランジ部１１ａ２，１１ａ３が設けられたものを使用するので、角パイプと同等以上の強度を確保しながらもコストを低減させることができる。
【００２７】
また、本実施形態の制震ダンパー用金物１およびその制震ダンパー用金物１を使用した壁構造では、アーム１１先端のアーム取付金物連結部１１ｇの斜辺１１ｇ１の長さＬ１（図５参照。）は、当該アーム取付金物連結部１１ｇの隙間に挿入するアーム取付金物１２の挿入連結板部１２ａの長さＬ２（図９（ｂ）参照。）の１／２以下としているため、図１に示すように、
１つの挿入連結板部１２ａの上下に別のアーム１１，１１のアーム取付金物連結部１１ｇ，１１ｇを重ねずに連結することができる。
【００２８】
そのため、本実施形態の制震ダンパー用金物１およびその制震ダンパー用金物１を使用した壁構造によれば、１つの開口部６の上下それぞれに制震ダンパー２，２を設け、上下それぞれの制震ダンパー２，２からのアーム１１，１１の他端を１本の柱３，３の中央部付近にそれぞれ連結する場合でも、１本の柱３，３にはそれぞれ１つのアーム取付金物１２，１２を設ければ十分であり、アーム１１，１１毎にアーム取付金物１２，１２を設ける必要がなくなるので、その分、コストや取付け作業の手間を削減することができる。
【００２９】
また、本実施形態の制震ダンパー用金物１およびその制震ダンパー用金物１を使用した壁構造によれば、アーム１１におけるアーム取付金物連結部１１ｇの隙間にアーム取付金物１２の挿入連結板部１２ａを挿入後、アーム取付金物連結部１１ｇの複数の連結孔１１ｇ２にそれぞれ、先端にドリルネジ８ｂを通して挿入連結板部１２ａを貫通させ、アーム１１とアーム取付金物１２とを連結する。
【００３０】
そのため、アーム取付金物１２の挿入連結板部１２ａには予め連結孔を設けておく必要がないので、アーム取付金物１２を先に柱３に固定した後、制震ダンパー２に一端が連結されたアーム（筋かい）１１の他端をアーム取付金物１２に連結することも可能となり、取付け作業性が向上する。また、アーム取付金物１２の挿入連結板部１２ａに予め連結孔を開けずにドリルネジ８ｂによって連結するため、ビス穴用のクリアランスが無く、結果的にガタツキを減らすることができる。また、開口部６の高さや幅、さらにはアーム１１の長さ等に応じて挿入連結板部１２ａに設ける連結孔の位置を柔軟に対応することが可能となり、この点でも作業性が向上すると共に、連結孔を予め複数設けることによってアーム取付金物１２側の強度が低下することも防止できる。
【符号の説明】
【００３１】
１  制震ダンパー用金物
１１  アーム
１１ａ  長尺鋼板
１１ａ１  接合板部
１１ａ２，１１ａ３  長尺フランジ部
１１ａ４  短尺フランジ部
１１ａ５  隙間
１１ｂ，１１ｃ  スペーサー
１１ｄ  リベット
１１ｅ  ダンパー連結部材
１１ｆ  切欠部
１１ｇ  アーム取付金物連結部
１１ｇ１  斜辺
１１ｇ２  連結孔
１２  アーム取付金物
１２ａ  挿入連結板部
１２ｂ  縦材固定板部
１２ｂ１  連結孔
２  制震ダンパー
３  柱
４  土台
５  梁
６  開口部
７  間柱
８ａ  ビス
８ｂ  ドリルネジ（切刃付き締結部材）
【図１】
0006624835.tif 000002
【図２】
0006624835.tif 000003
【図３】
0006624835.tif 000004
【図４】
0006624835.tif 000005
【図５】
0006624835.tif 000006
【図６】
0006624835.tif 000007
【図７】
0006624835.tif 000008
【図８】
0006624835.tif 000009
【図９】
0006624835.tif 000010
【図１０】
0006624835.tif 000011
【図１１】
0006624835.tif 000012